【手続補正書】
【提出日】平成27年9月8日(2015.9.8)
【手続補正１】
【補正対象書類名】特許請求の範囲
【補正対象項目名】全文
【補正方法】変更
【補正の内容】
【特許請求の範囲】
【請求項１】
部品を加工するためのマンドレル（２０）であって、
全長に沿って少なくとも１つの可撓性の部分を備える外側スリーブ（２２）であって、前記可撓性の部分は前記スリーブが所望の外形へと曲がることを可能にする、外側スリーブ（２２）と、
前記スリーブ内にある概して可撓性の内側コア（２４）と
を備え、
前記外側スリーブ（２２）は金属から形成されており、
前記内側コア（２４）は実質的に前記外側スリーブを満たし、かつ真空バッグ圧縮及び／またはオートクレーブ処理の間、前記外側スリーブ（２２）の寸法を維持し、前記マンドレルに加えられる力に対処するために十分な剛性と強度がある、軽量ポリマーである、マンドレル。
【請求項２】
前記外側スリーブ（２２）は実質的にＵ字形の断面を有する、請求項１に記載のマンドレル。
【請求項３】
前記内側コア（２４）は、構造発泡材、エラストマー、および複合材料の積層板のうちの１つを含む、請求項１または２に記載のマンドレル。
【請求項４】
前記外側スリーブ（２２）は少なくとも３つの側部を備え、
前記スリーブの前記可撓性の部分は、複数の離間された概して平行のスロット（３０）を、前記外側スリーブの側部のうちの１つに含む、請求項１から３のいずれか一項に記載のマンドレル。
【請求項５】
前記スロット（３０）を中に備える前記側部は、一対の丸みのある縁（Ｒ１）によって前記３つの側部のうちの他の２つに連結される、請求項１から４のいずれか一項に記載のマンドレル。
【請求項６】
端同士が共に連結された複数の前記外側スリーブをさらに備える、請求項１から５のいずれか一項に記載のマンドレル。
【請求項７】
前記外側スリーブ（２２）は、工具面を定める側部を有すると共に複数のスロットであって、前記複数のスロットを通して、前記工具面が前記スリーブの前記可撓性の部分に沿って曲がることを可能としたスロットを備えた請求項１から６のいずれか一項に記載のマンドレル。
【請求項８】
部品を加工するための可撓性マンドレルを製作する方法であって、
金属の外側スリーブを形成することと、
可撓性の内側コアを前記外側スリーブの内部に配置することであって、前記内側コアは軽量ポリマーであり、実質的に前記外側スリーブを満たし、真空バッグ圧縮及び／またはオートクレーブ処理の間、前記内側コアは前記外側スリーブ（２２）の寸法を維持し、前記マンドレルに加えられる力に対処するために十分な剛性と強度がある、配置することとを有する、方法。
【請求項９】
請求項８に記載の方法であって、さらに、
前記スリーブが所望の外形へと曲がることを可能にするスロットを、前記スリーブの全長の少なくとも一部分に沿って前記外側スリーブに形成することを含む方法。
【請求項１０】
前記スロットを形成することは、前記外側スリーブの前記スロットを切断するためにワイヤＥＤＭを用いて行われる、請求項９に記載の方法。
【請求項１１】
前記外側スリーブを形成することは、前記金属を長尺の通路部材へと形成することを含む、請求項８から１０のいずれか一項に記載の方法。
【請求項１２】
前記外側スリーブを形成することは、前記金属から形成された通路部材を押し出すことを含む、請求項８から１１のいずれか一項に記載の方法。
【請求項１３】
前記内側コアを前記外側スリーブの内部に形成することは、
構造発泡材のブロックをある大きさに切断することと、
前記発泡材ブロックを前記外側スリーブに挿入することと、
前記発泡材ブロックを前記外側スリーブに接合することと
を含む、請求項８から１２のいずれか一項に記載の方法。
【請求項１４】
前記可撓性の内部コアを前記外側スリーブの内部に形成することは、
前記スリーブにポリマー充填剤を満たすことと、
前記ポリマー充填剤を硬化させることと
を含む、請求項８から１３のいずれか一項に記載の方法。
【手続補正２】
【補正対象書類名】明細書
【補正対象項目名】００４８
【補正方法】変更
【補正の内容】
【００４８】
異なる有利な実施形態の記載が、図示および説明の目的のために提示されたが、包括的であるように、または、開示された態様の実施形態に限定されるように意図されてはいない。多くの変形品および変更品は、通常の当業者には明らかであろう。さらに、異なる有利な実施形態は、他の有利な実施形態と比較して、異なる利点をもたらす可能性がある。実施形態または選択された実施形態は、実施形態の原理、実用的な用途を最適に説明するために、および、通常の当業者以外の者が、考えられる特定の使用に適した様々な変形品を伴う様々な実施形態の開示を理解できるようにするために、選択および記載された。
また、本願は以下に記載する態様を含む。
（態様１）
部品を加工するためのマンドレルであって、
全長に沿って少なくとも１つの可撓性の部分を備える外側スリーブであって、前記可撓性の部分は前記スリーブが所望の外形へと曲がることを可能にする、外側スリーブと、
前記スリーブ内にある概して可撓性の内側コアと
を備えるマンドレル。
（態様２）
前記外側スリーブは金属である、態様１に記載のマンドレル。
（態様３）
前記外側スリーブは実質的にＵ字形の断面を有する、態様２に記載のマンドレル。
（態様４）
前記内側コアは、構造発泡材、エラストマー、および複合材料の積層板のうちの１つを含む、態様１から３のいずれか一項に記載のマンドレル。
（態様５）
前記外側スリーブは少なくとも３つの側部を備え、
前記スリーブの前記可撓性の部分は、複数の離間された概して平行のスロットを、前記外側スリーブの側部のうちの１つに含む、態様１から４のいずれか一項に記載のマンドレル。
（態様６）
前記スロットを備える前記側部は、一対の丸みのある縁によって前記３つの側部のうちの他の２つに連結される、態様１から５のいずれか一項に記載のマンドレル。
（態様７）
前記外側スリーブは金属から形成され、
前記内側コアは、軽量のポリマーであり、前記外側スリーブを実質的に満たす、態様１から６のいずれか一項に記載のマンドレル。
（態様８）
端同士が共に連結された複数の前記外側スリーブをさらに備える、態様１から７のいずれか一項に記載のマンドレル。
（態様９）
前記外側スリーブは、工具面を定める側部を有すると共に複数のスロットが設けられた金属であり、前記複数のスロットを通して、前記工具面が前記スリーブの前記可撓性の部分に沿って曲がることを可能とし、
前記コアは、前記外側スリーブに加えられる力に対処するのに十分な強度を有する軽量のポリマーである、態様１から８のいずれか一項に記載のマンドレル。
（態様１０）
部品を加工するための可撓性マンドレルを製作する方法であって、
外側スリーブを形成することと、
可撓性コアを前記外側スリーブの内部に配置することと、
前記スリーブが所望の外形へと曲がることを可能にするスロットを、前記スリーブの全長の少なくとも一部分に沿って前記外側スリーブに形成することと
を含む方法。
（態様１１）
前記外側スリーブを形成することは、金属を長尺の通路部材へと形成することを含む、態様１０に記載の方法。
（態様１２）
前記外側スリーブを形成することは、前記金属から形成された通路部材を押し出すことを含む、態様１０または１１に記載の方法。
（態様１３）
前記スロットを形成することは、前記スロットを前記外側スリーブで切断するためにワイヤＥＤＭを用いて行われる、態様１０から１２のいずれか一項に記載の方法。
（態様１４）
前記可撓性コアを前記外側スリーブの内部に形成することは、
構造発泡材のブロックをある大きさに切断することと、
前記発泡材ブロックを前記外側スリーブに挿入することと、
前記発泡材ブロックを前記外側スリーブに接合することと
を含む、態様１０から１３のいずれか一項に記載の方法。
（態様１５）
前記可撓性コアを前記外側スリーブの内部に形成することは、
前記スリーブにポリマー充填剤を満たすことと、
前記ポリマー充填剤を硬化させることと
を含む、態様１０から１４のいずれか一項に記載の方法。